(57)【要約】【課題】  リフォーム時に、騒音等が発生すること無く、施工作業性が良好で、かつ使用状態での排水流下音の伝播を抑制できる管固定具を提供する。【解決手段】  管固定具が、発泡樹脂製弾性体からなる管保持材と、剛直な押さえ板と、保持用ボルトとからなり、管保持材の高さ方向の途中に管が配置され、押さえ板に設けられた貫通孔に保持用ボルトが挿通され、該保持用ボルトが締められて、押さえ板が管保持材を押さえて管が管保持材で保持されると共に、保持用ボルトが基盤に設けられたアンカーホールに螺結されて管固定具が基盤に固定される。【選択図】  図１
2006266333.tif 000002
【特許請求の範囲】
【請求項１】
管固定具が、発泡樹脂製弾性体からなる管保持材と、少なくとも管保持材の上に配置される剛直な押さえ板と、押さえ板を貫通する保持用ボルトとからなり、
管保持材の高さ方向の途中に管が配置され、押さえ板に貫通孔が設けられてその貫通孔に保持用ボルトが挿通され、該保持用ボルトが締められて、押さえ板が管保持材を押さえて管が管保持材で保持されると共に、保持用ボルトが基盤に設けられたアンカーホールに螺結されて管固定具が基盤に固定されることを特徴とする管固定具。
【請求項２】
支持ボルト下端に設けられた基台と支持ボルト上端に設けられた床支承部とからなる床支持具で基盤上に設けられた二重床の床下空間に管を敷設する際に用いられる管固定具であって、
該管固定具が、発泡樹脂製弾性体からなる管保持材と、管保持材の上下両側に配置される剛直な押さえ板さえ板と、押さえ板同士を貫通する保持用ボルトとからなり、
管保持材の高さ方向の途中に管が配置され、押さえ板同士に貫通孔が設けられて保持用ボルトが挿通され、保持用ボルトが締められて押さえ板同士が管保持材を保持して管保持材が管を保持し、押さえ板に設けられた固定用貫通孔に床支持具の支持ボルトが挿通され、押さえ板を支持ボルトに固定して管固定具が床支持具に連結固定されることを特徴とする管固定具。
【請求項３】
管底面位置より高い位置で管に接触する部位の発泡樹脂製弾性体の変形復元性が、管底面位置より低い位置になる部位の発泡樹脂製弾性体の変形復元性よりも大きいことを特徴とする請求項１又は請求項２記載の管固定具。
【請求項４】
管保持材に保持された管が、基盤と床との間の空間に浮いた状態で保持されることを特徴とする請求項１から請求項３記載のいずれかの管固定具。
【発明の詳細な説明】
【技術分野】
【０００１】
本発明は、管を敷設する際に用いられる管固定具、及び二重床の床下に管を敷設する際に用いられる管固定具に関するものである。
【背景技術】
【０００２】
従来から、ポリエチレン管、塩化ビニル樹脂管やこれらとアルミニウム等柔軟性を有する金属との複合管など柔軟性を有する管を敷設する際、管のたわみ防止や管自重支持、ウォーターハンマーによる管の振れを防止し、かつ常に一定の施工レベルを発揮できるよう、その管を動かないように管固定具で振れ止め固定される。
【０００３】
振れ止め固定する方法としては、一般的には、管にゴム板や発泡樹脂製のクッション材を巻き回してサドルバンドやＵバンド又はＵボルト等で止めることが行われる。
【０００４】
例えば、管固定具を用いた管の振れ止め支持の標準的な方法として、形鋼材等からなる振れ止め支持部材を基盤に固定し、この振れ止め支持部材に管をＵバンド又はＵボルト等で止める方法が知られている（例えば、非特許文献１参照）。
【０００５】
この方法では、振れ止め支持部材を固定するために、コンクリート等の基盤にアンカーボルトやアンカールを設けるので、施工時に大きな騒音が発生し、他階や他の部屋に聞こえるという問題がある。しかしながら、新築時においては、人は住んでいない状態であるので、施工中の騒音については、問題点として顧みられることはなかった。
【０００６】
更に、このような管固定具を用いた配管敷設構造では、管を振れ止め固定支持材に直接固定し、かつ振れ止め支持材がコンクリートスラブ等に直接固定されるので、管を流れる流体が発生する騒音が、コンクリートスラブ等を伝って、他階や他の部屋等へ響いてしまうといった問題があった。
【０００７】
更に、振れ止め支持材を床下空間に配置するには、床下のスペースの限られた空間内で、振れ止め支持材の固定を行い、かつその振れ止め支持材に管を固定することを行わねばならず、しかも、管の配置高さを調節しなければならず、作業性が良好であるとは言い難いものであった。
【０００８】
一方、一般に住宅の躯体寿命は５０年から１００年以上あるが、内装については劣化やデザインの旧態化などのために、３０年程度で抜本的なリフォームが必要となることが多い。更に、住人の家族構成や生活スタイルの変化による間取りや住宅設備の変更工事も含め、最近リフォーム工事が急激に増加してきた。これは初期の集合住宅のリフォーム時期の到来および住宅の使い勝手に対する消費者の関心の高まりが背景にある。
【０００９】
これらリフォームにおいては近隣住民対策としての静粛工法が重要であり、例えば、給水給湯配管工事における最も騒音を発生する工程としての、配管支持のためのコンクリートスラブへの固定錨等の打ち込み工程において発生する騒音の防止が大きな課題となっていた。
【非特許文献１】国土交通省大臣官房官庁営繕部設備課監修、「機械設備工事標準図」、平成１３年度版、ｐ．１１６−ｐ．１１７
【発明の開示】
【発明が解決しようとする課題】
【００１０】
本発明は、リフォーム時に、騒音等が発生すること無く、施工作業性が良好で、かつ使用状態での排水流下音の伝播を抑制できる管固定具を提供することを目的としている。
【課題を解決するための手段】
【００１１】
請求項１記載の管固定具（発明１）は、  管固定具が、発泡樹脂製弾性体からなる管保持材と、少なくとも管保持材の上に配置される剛直な押さえ板と、押さえ板を貫通する保持用ボルトとからなり、管保持材の高さ方向の途中に管が配置され、押さえ板に貫通孔が設けられてその貫通孔に保持用ボルトが挿通され、該保持用ボルトが締められて、押さえ板が管保持材を押さえて管が管保持材で保持されると共に、保持用ボルトが基盤に設けられたアンカーホールに螺結されて管固定具が基盤に固定されることを特徴とする。
【００１２】
請求項２記載の管固定具（発明２）は、支持ボルト下端に設けられた基台と支持ボルト上端に設けられた床支承部とからなる床支持具で基盤上に設けられた二重床の床下空間に管を敷設する際に用いられる管固定具であって、該管固定具が、発泡樹脂製弾性体からなる管保持材と、管保持材の上下両側に配置される剛直な押さえ板さえ板と、押さえ板同士を貫通する保持用ボルトとからなり、管保持材の高さ方向の途中に管が配置され、押さえ板同士に貫通孔が設けられて保持用ボルトが挿通され、保持用ボルトが締められて押さえ板同士が管保持材を保持して管保持材が管を保持し、押さえ板に設けられた固定用貫通孔に床支持具の支持ボルトが挿通され、押さえ板を支持ボルトに固定して管固定具が床支持具に連結固定されることを特徴とする。
【００１３】
請求項３記載の発明（発明３）は、管底面位置より高い位置で管に接触する部位の発泡樹脂製弾性体の変形復元性が、管底面位置より低い位置になる部位の発泡樹脂製弾性体の変形復元性よりも大きいことを特徴とする発明１又は２の管固定具である。
【００１４】
請求項４記載の発明（発明４）は、管保持材に保持された管が、基盤と床との間の空間に浮いた状態で保持されることを特徴とする発明１から３のいずれかの管固定具である。
【００１５】
配水ヘッダーから、複数の水使用設備機器類に管を敷設する場合、排水ヘッダーから出た直後では、複数の管が近接して基盤上に配置される状態となる。また、それぞれの設備機器類の方向に向かう箇所では、管は単独で配管されるようになる。
【００１６】
また、基盤は、コンクリート、アスファルト等が打設される事が多く、二重床が敷設される基盤では、木材、木材系圧縮成型ボード等とされる場合が多い。いずれの場合でも、管を固定するために、基盤なり基盤にアンカー穴をあけて、その穴にボルト等を用いて物品を固定可能とする強度を有するようにされる。また、二重床の場合の床は、基盤の不陸や配管の勾配に対応できるように、床高さを調整用ボルトを支柱とする床支持材で支持されることが多い。
【００１７】
本発明において、固定される管は、給水や給湯用に用いられる管であり、可撓性と弾力性を有する加圧管である。例えば一例として、ポリエチレン管、塩化ビニル樹脂管、ポリエチレンとアルミニウム等の金属複合管等が挙げられる。
【００１８】
通常、配水ヘッダーが設けられる位置は家屋の床下であるが、必ずしも直上が床でない位置である場合も多くある。また、配管ヘッダー自体は、リフォーム時に、新築時に設置された位置から移動されることはほとんどなく、リフォーム後の水使用設備や機器類の配置変更に伴って、ヘッダーから出て各水使用設備や機器に接続される管の配置換えをのみが行なわれる。
【００１９】
ヘッダーから出た配管類は、通常、先ずヘッダー近辺で固定され、振れ止め支持されたあと、各水使用設備や機器類に配管され、個別の配管毎に、必要な箇所で固定されて振れ止め支持される。ヘッダ直後の固定に際して、各管毎にそれぞれサドル等で固定すると、固定用部材の数が増え、またそれぞれの管固定具毎に基盤にアンカー穴を穿たなければならず、作業手間がかかる上、リフォーム時等に配管位置の変更が必要となったら、そのたび毎に、再度必要な固定作業が必要で、この場合にはアンカー穴等をあけることが必要となって、騒音が発生することになる。
【００２０】
発明１は、リフォーム時にいくつかの配管の位置替えが必要となった場合、配水ヘッダーを出た直後の複数の配管においても、基盤や基盤に再び穴を穿たず配管の方向替えが容易にでき、リフォーム時の騒音の発生がない管固定具である。この管固定具は、新築時などの人が居住していない時に、将来、人が居住している状態でリフォームすることを見越して、予め、その時に騒音を発生させないこと想定して施工しておくものである。
【００２１】
この管固定具は、配水ヘッダーを出た直後の複数の管の固定や、個々の水使用設備機器類に向かって単独で配管される管の固定に適用される。これらの管は、この管固定具１個で、纏めて振れ止め支持された後、配管方向をそれぞれの水使用設備機器類の配置場所に向けて振られ、それぞれの管毎に、個別に必要な箇所で固定されるものである
【００２２】
この管固定具は、管保持材は、変形復元性を有する弾力性に富んだ発泡樹脂製弾性体のブロック体であり、管の上側管保持材と下側管保持材とで管を保持するものである。
【００２３】
管は、上側管保持材と下側管保持材との間に配置されて上下方向から保持される。管保持材は、管を保持すると共に管自体の振動を吸収し、その振動を床や基盤に伝達しないため振動緩衝材としての弾性も併せ持つものである。管を保持する箇所には、管の外径形状に沿った管受け用の凹溝が設けられていても良い。十分に柔軟な材料であって管保持材自体で管を保持できるだけ変形可能であれば、管受け用凹溝はなくても良い。
【００２４】
管受け用の凹溝には、管保持材の外周面から、直線状の切り込みが凹溝まで到達して設けられていても良い。こうすれば、管を管受け用の凹溝に挿脱着する場合に、該切り込みを広げて、そこから行うことができる。
【００２５】
又、管保持材の柔軟性は、少なくとも、管下方の管を基盤上方に支持する下側管保持材の方が、管上方の上から管を押さえる上側管保持材のよりも硬質であることが好ましい。この特性は、押さえ板に貫通孔が設けられて該貫通孔に保持用ボルトが挿通され、該保持用ボルトが締められて、押さえ板が管保持材同士を保持して上記管が管保持材で保持されるのに好都合であり、更に保持用ボルトが基盤に設けられたアンカーホールに螺結されるた場合、管固定具が基盤に固定されて管を床下空間に浮いた状態で保持するために必要な特性である。
【００２６】
管受け用凹溝を設ける場合は、その凹溝は、その凹溝に挿通される管が使用中にがたつかない形状と大きさとされれば良い。即ち、断面形状が管外径と略同じである円形を割った形状であって、も、幅と高さが管の外形寸法と略同じである四角形、六角形、八角形等の多角形出会っても構わない。
【００２７】
更に、凹溝の上下方向の溝高さは、管外径より若干小さくても良い。この場合であれば管保持材が押さえ板によって挟まれて管を保持する際、管保持材が管によって圧縮されて管を保持するので、管の保持が確実になる。
【００２８】
上側又は下側管保持材の形状は、管保持材の材質や固定する管の外径によって適宜ｂへんこうして決められる。例えば、管受け用凹溝がなくても管を保持可能な程度の柔軟な材料である場合は、厚さが固定される管の外径以上であれば良く、幅は人任意とされる。また長さは、少なくとも複数の管を同時に保持可能な長さであれば良く、それ以上長くても構わないが、長すぎても邪魔になるだけであるから適宜状況に応じて決められれば良い。
【００２９】
管受け用の凹溝を設けない管保持材の場合では、弾性率は、状況に応じて適度に決められて用いられれば良い。即ち、弾性率が小さければ、軽い力で保持できるが保持された管が容易に動いて管の振動を確実に防止することができない虞があり、大きければ保持に要する力が大きすぎて、管を確実に保持できなくなる虞があるからである。
【００３０】
管受け用凹溝を設ける場合は、剛直な材料であっても良いが、管を傷つけないように、管の外周に緩衝材を配置して管受け用溝に格納するようにして、管表面の傷付きを防止すれば良い。
【００３１】
また管保持材は通水される流体の温度等によって、一部が結露したり、また高温になったりすることがあるので耐湿性、耐熱性、保温性等も必要である。上記のような機能を有する材料としては、例えば一例として、ポリエチレン発泡体、ウレタン樹脂発泡体、等が挙げられる。その中でも、架橋ポリエチレンの独立気泡発泡体は、コスト、耐熱性、保温性等が優れていて好適に適用される。
【００３２】
管保持材の上面又は下面には、押さえ板が設けられる。押さえ板は、管保持材の上面には必ず必要であり、押さえ板を下方の基盤に固定する際に、押さえ板が基盤に押しつけられて管保持材を保持する機能を有する。なお、管保持材の下方にも剛直な板があっても良く、この場合では、基盤の不陸の程度が大きく通常にボルト等で管固定具を締め付けた時に、管保持材に保持された管が傾く虞がある場合にも好適に適用できる。
【００３３】
押さえ板には貫通孔が設けられ、該貫通孔に押さえ板保持用ボルトが挿通されている。即ち、保持用ボルトを締めることで、押さえ板が管保持具同士を保持して、管が管保持材で保持されるのである。保持用ボルトは、その先端が基盤に設けられたアンカーホールに螺結されて、管固定具を基盤に固定する機能を合わせ持つ。
【００３４】
管保持材の下側に押さえ板がない場合は、下側管保持材は直接基盤に接して管固定具が基盤に固定されるが、管保持材の下方にも押さえ板が設けられる場合には、保持用ボルトにナットを螺合しておき、該ナットと保持用ボルト頭とで押さえ板同士を締めて押さえ板の間の管保持材が保持されるようにされても良い。
【００３５】
従って、押さえ板は、曲げ剛性が高く、耐食性に富み、平面形状が管保持具の平面形状を覆う形状である帯板状体が好ましい。押さえ板としては、例えば一例として、ステンレススチール、防食された鉄、アルミニウム等金属類；炭素繊維、ガラス繊維等の繊維補強樹脂類等からなる板が挙げられる。
【００３６】
押さえ板の形状は、平面形状が管保持材の平面形状を覆っていることが好ましく、多少大きくされていても良い。更に大きくされた箇所が管保持材側に折り曲げられて、管保持材を抱持するようにされていても良い。折り曲げられた形状であれば、押さえ板自体が折り曲げ箇所のリブ効果によって、より曲がり難くなる上、締め付け持に管保持材が押さえ板から外れてしまう虞が少なくなる。
【００３７】
貫通孔は、押さえ板に少なくとも１カ所は必要である。前述のように押さえ板をリブ構造とした場合など、十分な曲げ剛性を有している場合は、一カ所でも十分な固定ができる。しかしながら通常は長さ方向の両端部近傍にそれぞれ設けられると、安定した
【００３８】
また、貫通孔は、押さえ板と管保持材とが同じ平面寸法として、これらを共に貫通していても良く、押さえ板を長くしておいてその中央部に管保持材を配置し、管保持材のない両端部近傍に設けても良い。管保持材を同時に貫通するようにしておくと、締め付けた時に管保持材が押さえ板の下から逃げることが少なくなる。
【００３９】
この管固定具を基盤に固定する方法は、通常のボルトを用いて固定する方法で良く、一例として、基盤にアンカーホールを穿ち、その穴に上記押さえ板の貫通孔に挿通された保持用ボルトの先端をねじ込根羽良い。又は、アンカーホールに寸切りボルトをねじ込み、該寸切りボルトの他端にナットをねじんで上側押さえ板を止めても良い。下側にも押さえ板がある場合は、下側押さえ板を止めるナットを噛ませて、ボルト頭又は上側ナットとで押さえ板を止めても良い。
【００４０】
発明２は、配水ヘッダーから出た後の個別の水使用設備や機器に配管される管を、二重床となっている箇所で振れ止め固定する場合に特に好適に用いられる管固定具である。
【００４１】
発明２の管固定具は、支持ボルト下端に設けられた基台と支持ボルト上端に設けられた床支承部とからなる床支持具で基盤上に貼設された二重床の、床下空間に管を敷設する際に用いられる管固定具である。この床支持具は、本体が支持用ボルトとされ該支持用ボルトに螺合された床支承部に床が載せられて床を支持すると共に、基盤の不陸等があっても床面の平面化を行うことができるものである。
【００４２】
管固定具は、発泡樹脂製弾性体が積み重ねられた管保持材と、管保持材を挟んで保持する剛性を有する帯板状の押さえ板と、押さえ板同士を貫通する保持用ボルトとから構成される。管は、積み重ねられた管保持材同士の間に配置される。
【００４３】
押さえ板同士には貫通孔が設けられて保持用ボルトが挿通され、保持用ボルトが締められて押さえ板同士が管保持材を保持して管保持材が管を保持する。更に、押さえ板には固定用貫通孔が設けられ、この固定用貫通孔に床支持具の支持ボルトが挿通され、押さえ板を支持ボルトに固定して管固定具が床支持具に連結固定される。
【００４４】
押さえ板には、押さえ板同士を保持する保持用ボルトが挿通される保持用貫通孔が穴軸を一致して設けられている。更に、少なくとも１枚の押さえ板に、管固定具を上記床支持具の支持用ボルトに連結固定するための固定用ボルトが挿通される固定用貫通孔が設けられている。
【００４５】
管保持材は、積み重ねられた易変形性であってかつ弾力性に富んだ柔軟な発泡樹脂製弾性体である。管は上側管保持材と下側管保持材との間に管が配置され、押さえ板によって上下方向から保持されて管を保持する機能を有する。この場合、押さえ板同士は、管保持材が管によって変形する程度に強く挟んでも良く、変形しない程度に軽く挟んでも良い。
【００４６】
管を保持する箇所には、管の外径形状に沿った管受け用の凹溝が設けられていても良く、十分に柔軟な材料であって管保持材自体で管を保持できるだけ変形可能であれば、管受け用凹溝はなくても良い。このように、管保持材は、管を保持すると共に管自体の振動を吸収し、その振動を床や基盤に伝達しないため振動緩衝材としての弾性も併せ持つものとされる。
【００４７】
管受け用の凹溝には、管保持材の外周面から、直線状の切り込みが凹溝まで到達して設けられていても良い。こうすれば、管を管受け用の凹溝に挿脱着する場合に、該切り込みを広げて、そこから行うことができる。
【００４８】
又、管保持材の柔軟性は、少なくとも、管の下方にあって管を基盤上方に支持しつつ管を押さえる下側管保持材の方が、管の上方にあって管を上から押さえる上側管保持材のよりも硬質であることが好ましい。この特性は、管保持具を、押さえ板に挿通したアンカーボルト等で基盤に固定した時に、管を床下空間に浮いた状態で保持するために好ましい特性である。
【００４９】
上側又は下側管保持材の形状は、材質によっても異なるが、管受け用凹溝がなくても管を保持可能な程度の柔軟な材料である場合は、厚さが固定される管の外径以上であれば良く幅は限定されない。また長さは、少なくとも複数の管を同時に保持可能な長さであれば良く、それ以上長くても構わないが、長すぎても邪魔になるだけであるから、適宜状況に応じて決められれば良い。
【００５０】
管受け用の凹溝を設けない管保持材の場合では、弾性率は、状況に応じて適度に決められて用いられれば良い。即ち、弾性率が小さければ、軽い力で保持できるが保持された管が容易に動いて管の振動を確実に防止することができない虞があり、大きければ保持に要する力が大きすぎて、管を確実に保持できなくなる虞があるからである。
【００５１】
管受け用凹溝を設ける場合は、剛直な材料であっても良いが、管を傷つけないように、管の外周に緩衝材を配置して管受け用溝に格納するようにして、管表面の傷付きを防止すれば良い。
【００５２】
管受け用の凹溝を設けない管保持材の場合では、弾性率は、状況に応じて適度に決められて用いられれば良い。即ち、弾性率が小さければ、軽い力で保持できるが保持された管が容易に動いて管の振動を確実に防止することができない虞があり、大きければ保持に要する力が大きすぎて、管を確実に保持できなくなる虞があるからである。
【００５３】
管受け用凹溝を設ける場合は、剛直な材料であっても良いが、管を傷つけないように、管の外周に緩衝材を配置して管受け用溝に格納するようにして、管表面の傷付きを防止すれば良い。
【００５４】
また管保持材は通水される流体の温度等によって、一部が結露したり、また高温になったりすることがあるので耐湿性、耐熱性、保温性等も必要である。上記のような機能を有する材料としては、例えば一例として、ポリエチレン発泡体、ウレタン樹脂発泡体、等が挙げられる。その中でも、架橋ポリエチレンの独立気泡発泡体は、コスト、耐熱性、保温性等が優れていて好適に適用される。
【００５５】
管保持材の上下両面にはそれぞれ押さえ板が設けられる。押さえ板は、管保持材を挟んで保持する機能と、管固定具を上記床支持具に連結する機能とを有する。そのために、２枚の押さえ板には、押さえ板同士を保持するための保持用ボルトが挿通される保持用貫通孔が設けられ、更に、少なくとも一方の押さえ板には、上記保持用貫通孔に加え、管固定具を上記床支持具の支持用ボルトに嵌め込んで連結固定するための固定用貫通孔が設けられている。
【００５６】
押さえ板保持用ボルトにはナットが螺着されて、これらを締めることにより、ボルト頭とナットとで押さえ板同士を締め付け、締め付けられた押さえ板で管保持材を挟み、管保持材が管を保持する。
【００５７】
従って、押さえ板は曲げ剛性が高く、耐食性に富み、平面形状が管保持具の平面形状を覆う形状である帯板状体が好ましい。押さえ板としては、例えば一例として、ステンレススチール、防食された鉄、アルミニウム等金属類；炭素繊維、ガラス繊維等の繊維補強樹脂類等からなる板が挙げられる。
【００５８】
押さえ板の形状は、平面形状が管保持材の平面形状を覆っていることが好ましく、多少大きくされていても良い。更に大きくされた箇所が、互いの管保持材の方向に折り曲げられて、管保持材を抱持するようにされていても良い。折り曲げられた形状であれば、押さえ板自体が折り曲げ箇所のリブ効果によって、より曲がり難くなる上、挟んで保持する時に管保持材が押さえ板から外れてしまう虞が少なくなる。
【００５９】
押さえ板保持用ボルトが挿通される保持用貫通孔は、押さえ板に少なくとも１カ所は必要である。前述のように押さえ板をリブ構造とした場合など、十分な曲げ剛性を有している場合は、一カ所で十分な固定ができる。
【００６０】
また、貫通孔は、押さえ板と管保持材とを貫通して設けられていても良く、押さえ板を長くしておいて長さ方向の中程に管保持材を挟み、管保持材のない両端部近傍に設けても良い。管保持材を同時に貫通するようにしておくと、締め付けた時に管保持材が押さえ板の下から逃げることが少なくなる。
【００６１】
発明３では、発明１又は２の管保持材において、その管保持材よりも圧縮変形された時の変形復元性が大きい柔軟な発泡樹脂製弾性体が積み重ねられている。従って、発明１又は２のいずれの管固定具においても、押さえ板で管保持材を強く挟んだ場合、管によって管保持材が大きな変形応力を受けても、柔軟な弾性体が変形するので、管保持材の変形が最小限となる。
【００６２】
また、柔軟な弾性体を管に接するように積み重ねると、その柔軟な弾性体の変形が十分大きければ、管保持材に管受け用凹溝を設けることなく、管を保持することができる。
【００６３】
又、発明４は、管が積み重ねられた管保持材同士で保持されて、管を基盤と床との間の空間に浮いた状態で保持することができる、発明１〜３のいずれかの管保持材であるのもである。即ち、いずれの発明１〜３の管固定具においても、管は管保持材の高さ方向の途中に挟まれて配置され、その状態で基盤上に保持されるので、管の外周下面は床下空間に浮いた状態となるのである。
【００６４】
次に本発明の管固定具の使用方法を説明する。
発明１の管固定具に管を保持して基盤上に配管固定する方法としては、例えば一例として、まず、基盤の管固定具を配置する箇所の、押さえ板に設けられた貫通孔に相当する位置に、所定のアンカーホールを穿孔する。次いで、配管する管を積み重ねられた管保持材同士の間に配置し、上に押さえ板を置き、貫通孔に保持用ボルトを挿通する。保持用ボルトが締められると、押さえ板が管保持材同士を挟んで、管保持材が管を保持する。管保持材は、保持用ボルトが基盤に設けられたアンカーホールに螺結すると、管固定具は基盤面と押さえ板とで押さえられて基盤に固定され配管が固定される方法が挙げられる。
【００６５】
管保持材の下面にも押さえ板を配置して用いる場合は、管保持材同士の間に管を配置した後、管保持材の上下面にそれぞれ押さえ板を重ね、押さえ板の貫通孔に挿通された保持用ボルト下方の押さえ板同士の下に押さえナットを螺入し、ナットで押さえ板同士を挟んで管保持具で管を保持する。ナットから突出している保持用ボルトの頭を基盤に設けられたアンカーホールに螺結すると、管固定具が基盤に固定され、配管が固定される。
【００６６】
保持用ボルトの代わりに、貫通孔に寸切りボルトを挿通して、押さえ板を挟むように押さえナットを螺入し、ナット同士を螺合して管保持具を挟んで管を管保持具で保持し、寸切りボルトの先端を基盤に設けたアンカーホールにねじ込んで固定しても良い。
【００６７】
発明２の管固定具に管を保持して床下の空間に固定する方法としては、例えば一例として、まず、配管する管を積み重ねられた管保持材同士の間に配置し、管保持材の上下面にそれぞれ押さえ板を重ね、押さえ板の貫通孔に挿通された保持用ボルトに押さえナットを螺入し、ナットで押さえ板同士を締めて管保持具で管を挟んで保持する。次いで、押さえ板の固定用貫通孔を床支持具の支持用ボルトに挿通し、床面高さを調節した後支持用ボルトに螺入さえたナット等を締め付けて、押さえ板が支持ボルトから外れないように固定する方法が挙げられる。
【００６８】
更に、発明３においては、管底面位置より高い位置で管に接触する部位に
管底面位置より低い位置になる部位よりも、変形復元性が大きい柔軟な発泡樹脂弾性体が重ねられている。この柔軟な管保持材は、管に接して配置されても、管の配置位置の上方の管保持材全てが柔軟な発泡樹脂製弾性体とされていても良い。
【００６９】
柔軟な管保持材が、管に接して管より上方位置となるように用いられると、管を挟んだ管保持材が押さえ板によって挟まれて管を保持する際、柔軟な管保持材自体が大きく変形して管を包むように保持するので、特に管保持材に管受け用凹溝等を設けなくても管を保持することができる。また、溝をｍぉうけないので、リフォーム時等で配管方向を変更する場合に、管方向を凹溝の方向に沿わせる必要がないので配管方向の規制がなく、自由にその方向を変更することができる。
【００７０】
発明４においては、管が、管保持材で保持されて、管が基盤と床との間の空間に浮いた状態で保持される。即ち、管は下側の管保持材の上に配置されるので、管保持材で保持された管の底面高さは、基盤上方に保持されることになる。例えば発明１の、押さえ板が管保持材の上に積み重ねられている場合では、仮に、押さえ板によって管保持材が強い力で基盤面に押し付けられるように圧迫されても、下方の管保持材がへたって管が接触するまで変形することがない用に締め付けられれば良い。
【００７１】
また、管保持材下面にも押さえ板がある場合や、発明２の固定具の場合では、下方の押さえ板が基盤上方にｂなるように管固定具が固定されるので、管は基盤に触れずに床下空間に浮いた状態で保持されることになる。更に、上側管保持材が下側管保持材よりも大きく変形される場合では、押さえ板で管保持材を強く締め付けても、上側管保持材が大きく変形して管を保持するので、下側管保持材の変形が少なく、管は基盤に触れずに床下空間に浮いた状態で保持される。
【００７２】
発明１から発明４のいずれの管固定具であっても、ボルト又はナットを緩めるだけで、管保持材の保持が解かれるので、上側及び下側管保持材同士の間に固定された配管が自由になり、配管方向を必要な方向に変更することができる。特に、管受け溝が設けられていない場合では、溝の方向に影響されないので、配管方向の変更が完全に自由となり、変更後は再びボルト又はナットをしめるだけで、配管が固定される。
【００７３】
発明１から発明４の管固定具では、新設時にアンカーホールを一度穿つことが必要であるが、リフォーム時には、アンカーホールを穿つ必要がないので騒音が発生せず、使用状態での流体の流れる音が他階に響くことが少ない配管が施工作業性良くできるのである。
【００７４】
このように、いずれの管固定具を用いても、アンカーホールを穿つのが新設時の一回だけであり、配管の固定作業がボルト又はナットの螺結だけであるので、施工作業性が良い。又リフォーム時もボルト又はナットを緩めるのみであり新たなアンカーホールを穿たずにすむので、騒音なしで容易に配管の方向を変更できる。
【発明の効果】
【００７５】
発明１の管固定具は、発泡樹脂製弾性体が積み重ねられた管保持材の間に管が配置され、押さえ板に設けられた貫通孔に保持用ボルトが挿通され、該保持用ボルトが締められて押さえ板が管保持材同士を保持して上記管が管保持材で保持される。保持用ボルトを基盤に設けられたアンカーホールに螺結すれば管固定具が基盤に固定されるので、管の固定作業が一度で済み、しかも配管方向に関わらずアンカーボルトを締めるだけで配管が固定されるので、作業手間が掛からない。しかも、リフォーム時は、ボルト又はナットを緩めるだけで配管の方向を変更できるので、騒音が発生せずかつ配管変更作業が容易である。
【００７６】
発明２においては、管固定具は、支持ボルト下端に設けられた基台と支持ボルト上端に設けられた床支承部とからなる床支持具で基盤上に貼設された二重床の、床下空間に管を敷設する際に用いられる。この管固定具は、発泡樹脂製弾性体が積み重ねられた管保持材と、管保持材を保持する押さえ板と、押さえ板同士を貫通する保持用ボルトとからなる。管は積み重ねられた管保持材同士の間に配置され、押さえ板同士に設けられた貫通孔に保持用ボルトが締められて、押さえ板同士が管保持材を保持して管保持材が管を保持する。
管固定具は、押さえ板に設けられた固定用貫通孔に床支持具の支持ボルトが挿通され、押さえ板を支持ボルトに固定して管固定具が床支持具に連結固定される。従って、新規に配管施工を行う時においても、配管固定用のアンカーホール等を穿つ必要がなく、ましてリフォーム時であってもアンカーホール等の穿孔騒音は発生せず、また、ナットを緩めるのみで配管の方向変更ができるので、作業も簡単である。
【００７７】
発明３においては、  管底より高い位置の管に接触する箇所に、管底より低い位置の管保持材よりも変形復元性が大きい柔軟な発泡樹脂製弾性体が重ねられている。従って、押さえ板によって管保持材が強く締め付けられて、柔軟な管保持材が管によって圧縮されて変形する。それ故、特に管保持材に管受け用の凹溝を設けなくても、管が確実に保持される。またリフォーム時にも、管受け用の凹溝による規制がないので、配管の方向をより自由に変更することができる。
【００７８】
更に、上側管保持材の上面が柔軟な弾性体とされていれば、例えば二重床の床パネル裏面のリブにより構成される凹部と管保持材上端部とが正確に嵌り合わずにずれていても、柔軟な弾性体がリブによって圧縮されて大きく変形するので、床パネル裏面に強く圧接され、それ故、管保持材の固定は確実に行われる。
【００７９】
発明４においては、管が、積み重ねられた管保持材同士の間で保持されるので、管が基盤と床との間の空間に浮いた状態で保持される。更に、上側管保持材が、下側管保持材よりも変形量が多い柔軟な発泡樹脂製弾性体であれば、管保持材が押さえ板によって強く挟まれて変形しても、下側管保持材は上側管保持材よりも変形量が少なく、従って管保持材に挟まれた管は、床下空間に浮いた状態で固定される。それ故、使用状態で配管中を流れる流体の流下音が他階に伝わることが少ない。
【発明を実施するための最良の形態】
【００８０】
次に、本発明の実施の形態を、図面を参照して説明する。
【実施例１】
【００８１】
図１は発明１の管固定具の一例であり、（ａ）は管保持材の上面に、管保持材の平面形状と同じ平面形状の押さえ板が設けられた一例の斜視図、（ｂ）は（ａ）の押さえ板の長さが長くされた一例の斜視図、（ｃ）は押さえ板の側辺が下方に折り曲げられてリブ状とされたものの一例の斜視図、（ｄ）は（ｃ）の押さえ板の長さが長くされた一例の斜視図である。なお、図示しないが、押さえ板の長さ側の側辺が下方に折り曲げられてリブ状とされていても良く、更に全側辺がリブ状に折り曲げられていても良いし、側辺を折り曲げられた押さえ板の長さが長くされていても良いことは言うまでもない。
【００８２】
図１（ａ）において、管保持材２は、上側管保持材２１と下側管保持材２２とで構成されている。更に、上側管保持材２１の上面に、管保持材２の平面形状と同じ平面形状の押さえ板３が設けられている。
【００８３】
押さえ板３は、図１（ｂ）のように管保持材２の長さより長くても良く、また図１（ｃ）のようにその側辺が下方に折り曲げられてリブ状にされていても良い。リブ状にされていると、リブ間の窪みに管保持材が嵌め込まれた状態となって、押さえ板を締め付けた時に管保持材が押さえ板から逃げなくなる上、押さえ板の曲げ強度が大きくなり、たとえ締め付け箇所（例えば保持用兼管保持具固定用貫通孔４１の開口位置）が一カ所であっても（図示せず）確実な締め付けができるようになる効果がある。
【００８４】
なお、図１においては、管位置の上方と下方とがわかりやすいように、異なるハッチングでこれを示しているが、上側管保持材２１と下側管保持材２２とは、一つの発砲樹脂製弾性体ブロックであっても、２以上の発泡樹脂弾性体ブロックが重ねられていても良い。同じ発砲樹脂製弾性体の場合では、管受け用の凹溝が弾性体の高さ方向の途中に設けられて管を配置可能とされればよく、弾性体が重ねられている場合は、上側管保持材２１と下側管保持材２２とを離して、その間に複数の管Ｐ１、Ｐ２、・・・が配置される。押さえ板３には、少なくとも１以上の、アンカーボルト６１又は寸切りボルト６２が挿通される、保持用兼管保持具固定用貫通孔４１が設けられている。
【００８５】
図２は発明１の管保持具１を用いた配管敷設構造の一例の断面図であり、（ａ）は管固定具がアンカーボルトで基盤に固定された発明２の一例の断面図、（ｂ）は管固定具が寸切りボルトで固定された発明３の一例の断面図である。なお、本例では、図１（ａ）に示す管固定具を用いて説明するが、図１の他の形状の管保持具であっても管の固定方法は同じであるから、それぞれを例示して繰り返して説明はしない。
【００８６】
配管ヘッダー（図示せず）から出て各水使用設備や機器類（いずれも図示せず）に配管される複数の管Ｐ１、Ｐ２、・・・は、上側管保持材２１と下側管保持材２２との間に配置されている。押さえ板３には  保持用兼管保持具固定用貫通孔４１が設けられ、その貫通孔４１に、基盤Ｂに穿たれたアンカーホール５に螺結されて押さえ板を締め付けるアンカーボルト６１（図２（ａ）参照）、又はアンカーホール５に螺結された寸切りボルト６２（図２（ｂ）参照）が挿通されている。
【００８７】
押さえ板３は、貫通孔４１に挿通されたアンカーボルト６１又は寸切りボルト６２とそれに螺結されたナット７とによって基盤Ｂに向かって締め付けられ、管固定具１が基盤Ｂに固定されている。この時、管保持材２は押さえ板によって保持される。上側管保持材２１は柔軟であり、下側管保持材２２は上側管保持材２１と比較して比較的弾弾性に富んでいるので、保持された管保持材２１、２２同士の間に挟まれた管Ｐ１、Ｐ２、・・・によって管保持材２１、２２が受ける変形量は、上側管保持材２１の方が下側管保持材２２よりも大きくなる。
【００８８】
それ故、下側管保持材２２は管Ｐ１、Ｐ２、・・・の外径に沿って少し窪み、上側管保持材２１は管外径に沿って大きく窪み、管Ｐ１、Ｐ２、・・・と上側管保持材２１と下側管保持材２２とが交わる接点に略三角形の空洞ができた状態で、管Ｐ１、Ｐ２、・・・が管保持材２１，２２の間に保持されて固定される。
【００８９】
下側管保持材２２の変形量が少ないので、固定された管Ｐ１、Ｐ２、・・・は基盤Ｂから浮いた状態となる。下側管保持材２２も発泡樹脂製であるので、管Ｐ１、Ｐ２、・・・内を流れる流体の流下音や管の振動は、下側管保持材２２によって緩衝され、他階に伝わらない。
【００９０】
この配管敷設構造とするための配管敷設手順は、先ず配管ヘッダー近傍において、まだ個々の管がそれぞれの水使用設備や機器類の方向に向かう前の、複数の管が近在して並んでいる箇所の基盤Ｂの管固定具１の取り付け位置に、管固定具１の押さえ板に設けられた貫通孔４１に対応してアンカーホール５を穿つ。
【００９１】
次いで、下側管保持材２２を管Ｐ１、Ｐ２、・・・の下に入れ、その上に上側管保持材２１を被せる。更にその上に押さえ板を被せ、アンカーボルト６１等を貫通孔４１に挿通して、基盤Ｂに穿たれたアンカーホール５にねじ込む。アンカーボルト６１等をねじ込むことにより押さえ板３が締め付けられ、管保持材２１，２２が変形して管Ｐ１、Ｐ２、・・・管が固定される。
【００９２】
後日リフォーム等に際して配管の方向変更を行う場合は、アンカーボルト６１等を緩め、管保持材２１、２２の保持力を解放して変形を基に戻し、管Ｐ１、Ｐ２、・・・を自由にしてその配管方向を変更し、その後再びアンカーボルト６１等を締めるだけで再び管が固定できる。この時、それぞれの管の配管方向が異なっていても、管保持材２１，２２は新しい管の配管方向に沿って変形されるので、管の固定には差し支えがない。
【００９３】
図３は、管保持材２に管受け用凹溝２３が設けられている一例であり、（ａ）は凹溝２３の断面形状が略円形である一例の斜視図、（ｂ）は凹溝２３の断面形状が略四角形である一例の斜視図である。いずれも、凹溝２３は複数本設けられていて、同時に複数本の管Ｐ１、Ｐ２、・・・を保持するようにされていても良い。又、円形状と四角形状等の凹溝２３が組み合わせて設けられていても構わない。
【００９４】
又、図３（ｃ）〜図３（ｅ）に示されるように、管受け用の凹溝２３には、管保持材２の外周面から、直線状の切り込み２４が凹溝２３まで到達して設けられていても良い。こうすれば、管Pを管受け用の凹溝２３に挿脱着する場合に、該切り込み２４を広げて、そこから行うことができる。
【００９５】
図４は、管保持材２の下側にも押さえ板３２が設けられた発明１の管保持具１を用いた配管敷設構造の一例の断面図であり、（ａ）はアンカーボルト６１で押さえ板３１、３２が押さえられて管保持材２が管Ｐを保持し、アンカーボルト６１先端が基盤Ｂに設けられたアンカーホール５に固定された一例の断面図、（ｂ）は一方の押さえ板３２が長くされて固定用貫通孔４３が設けられ、該固定用貫通孔４３に固定ボルト６１が挿通されて、基盤Ｂに設けられたアンカーホール５に管固定具１が固定された一例の断面図である。
【００９６】
この場合は、下側押さえ板３２の下に押さえナット７２が螺合され、このナット７２とボルト６１の頭又は上部ナット（図示せず）とで押さえ板３１、３２を押さえて管保持材２を挟み、管保持材２１、２２同士の間に配置された管Ｐを保持する。
【００９７】
図５は発明２の管固定具の一例であり、（ａ）は２枚の押さえ板の間に管保持材が積み重ねられた一例の斜視図、（ｂ）は（ａ）の上方の押さえ板の側辺が下方に折り曲げられてリブ状とされたものの一例の斜視図である。
【００９８】
管保治具１は２枚の押さえ板３１，３２の間に管保持材２が挟まれた形状である。図５（ａ）において、管保持材２は、上側管保持材２１と下側管保持材２２とで構成されている。更に、上側管保持材２１の上面に管保持材２の平面形状と同じ平面形状の押さえ板３１が設けられ、下側管保持材２２の下面に押さえ板３２が設けられている。下側押さえ板３２は、床支持具８の支持用ボルト８１に連結されて管固定具１を固定する機能を併せ持つ。
【００９９】
上側押さえ板３１はその側辺が下方に折り曲げられてリブ状（図５（ｂ）参照）にされていても良い。リブ状にされていると、リブ間の窪みに上側管保持材２１が嵌め込まれた状態となって、押さえ板３１、３２を締め付けた時に上側管保持材２１が押さえ板から逃げなくなる上、上側押さえ板３１の曲げ強度が大きくなり、たとえ締め付け箇所が一カ所であっても確実な締め付けができるようになる効果がある。
【０１００】
上側押さえ板３１と下側押さえ板３２とには、保持用貫通孔４２が穴軸を一致して穿ってある。図５では、この貫通孔４２は管保持材２を貫いて設けられているが、管保持材２の長さを短くして、貫通孔４２が管保持材２に掛からないように（図示せず）されても良い。また、上側押さえ板３１の側辺がリブ状に折り曲げられている場合では、上側押さえ板３１の曲げ強度が大きくなるので、貫通孔４２は一カ所であっても良い。また、押さえ板同士の締め付け方法は特に限定されず、一般的な、貫通孔４２に挿通されたボルトにナットを螺合して締め付ける方法等で良い。
【０１０１】
図５（ａ）又は図５（ｂ）においては、下側押さえ板３２の長さは、管保持材２の長さよりも長くされ、その端部近傍に管保持具１を床支持具８の支持用ボルト８１に連結して固定するための固定用貫通部４３が設けられている。なお、図示しないが、長くされる押さえ板は、上側でも下側、または両方が長くされていても良く、長くされた箇所に固定用貫通孔４３が設けられていても良い。
【０１０２】
固定用貫通孔４３の形状は特に限定されないが、管固定具１を床支持具８に連結固定する（後述）場合に、床支持具８の多少の配置位置ずれがある場合に備えて長穴とされることが多い。その他の形状としては、作業の容易さから、例えば一例として、図６に示されるような種々の形状が挙げられる。
【０１０３】
図６に床支持具８の支持用ボルト８１に連結される押さえ板（例えば押さえ板３２）の一例を示す。図６（ａ）は押さえ板両端部に、側方の辺に開口する長穴がそれぞれ設けられた一例の平面図、（ｂ）は押さえ板両端部に、長さ方向の端辺に開口する長穴がそれぞれ設けられた一例の平面図、（ｃ）は押さえ板の一端部側方の辺と他端部の長さ方向の端辺とにそれぞれ開口する長穴が設けられた一例の平面図、（ｄ）は（ａ）の長穴の一方の長穴の奥部に更に長さ方向に長穴が設けられた一例の平面図である。
【０１０４】
図６（ａ）〜図６（ｄ）では、管固定具１の押さえ板３を支持用ボルト８１に連結する際、先に固定用貫通孔４３に支持用ボルト８１を挿通しておく必要がない。更に図４（ｂ）〜図（ｄ）においては、支持用ボルト８１の位置が多少ずれていても、押さえ板を長さ方向に移動することができるので、管固定具を連結することができる。
【０１０５】
図７は発明２の管保持具１を用いた配管敷設構造の一例の断面図である。なお、本例では、図７（ａ）に示す管固定具を用いて説明するが、図７（ｂ）等の他の形状の管保持具であっても、管の固定方法は同じであるから、それぞれを例示して繰り返して説明はしない。
【０１０６】
発明２の管保持具は、二重床の床下に配管される場合に用いられる管固定具であり、その二重床は、基盤面上に置かれた床支持具８によって支持されて、基盤と床との間に空間を有する二重床である。この床支持具８は、本体が支持用ボルトとされ該支持用ボルトに螺合された昇降基台に床が載せられて床を支持すると共に、基盤の不陸等があっても床面の平面化を行うことができるものである。
【０１０７】
配管ヘッダー（図示せず）から出て各水使用設備や機器類（いずれも図示せず）に配管される複数の管Ｐ１、Ｐ２、・・は、上側管保持材２１と下側管保持材２２との間に配置されている。押さえ板３１、３２には、それぞれ保持用貫通孔４２が設けられ、その貫通孔４２にボルト６１が挿通されてナット７で押さえ板３１、３２同士を締め付けている。
【０１０８】
管保持材２は締め付けられた押さえ板３１、３２によって保持される。上側管保持材２１は柔軟であり、下側管保持材２２は上側管保持材２１と比較して比較的弾弾性に富んでいるので、保持された管保持材２１、２２同士の間に挟まれた管Ｐ１、Ｐ２、・・によって管保持材２１、２２が受ける変形量は、上側管保持材２１の方が下側管保持材２２よりも大きくなる。
【０１０９】
それ故、下側管保持材２２は管Ｐ１、Ｐ２、・・・の外径に沿って少し窪み、上側管保持材２１は管外径に沿って大きく窪み、管Ｐ１、Ｐ２、・・・と上側管保持材２１と下側管保持材２２とが交わる接点に略三角形の空洞ができた状態で、管Ｐ１、Ｐ２、・・・が管保持材２１，２２の間に保持されて固定される。
【０１１０】
上側押さえ板３１又は下側押さえ板３２が長くされ（本例では上側押さえ板が長くされた例で示している）、長くされた箇所に固定用貫通孔４３が設けられている。この固定用貫通孔４３が二重床の床支持具８の支持用ボルト８１に挿通され、支持用ボルト８１に螺入されているナット（図示せず）などによって固定され、下側押さえ板の下面に突出している保持用ボルト又はナットが基盤Ｂから浮くように配置される。
【０１１１】
このように、管保持具１が床から浮いた状態で保持され、かつ管保持材２１、２２も発泡樹脂製であるので、管Ｐ１、Ｐ２、・・・内を流れる流体の流下音や管の振動は、下側管保持材２２によって緩衝され、他階に伝わらない。
【０１１２】
この配管敷設構造とするための配管敷設手順は、管Ｐ１、Ｐ２、・・・が二重床部に配管されてきたら、まず、上側押さえ板３１（又は下側押さえ板３２）を床支持具８の支持用ボルト８１に挿通し、下側押さえ板３２の下方にナット等が挿入可能な空間を空けて、ナット等（図示せず）で固定する。次いで、管保持材２１と２２の間に管Ｐ１、Ｐ２、・・・を配置し、保持用貫通孔４２に保持用ボルト６１等を挿通し、上側押さえ板３１と下側押さえ板３２とを締め付けて管保持材２１，２２を保持して変形し、配管Ｐ１、Ｐ２、・・を固定する、
【０１１３】
下側押さえ板３２の下部に突出するボルト６１頭又はナット７は、管保持具１が床支持具８の支持用ボルト８１の高さ方向の途中に固定されるので、基盤Ｇに接触せず、かつ管保持材２が発泡樹脂であるので、配管Ｐ１、Ｐ２、・・中を流れる液体の騒音や配管自体の振動が床板Ｆや他階に伝わらない。
【０１１４】
後日リフォーム等に際して配管の方向変更を行う場合は、アンカーボルト等を緩め、管保持材２１、２２の保持力を解放して変形を基に戻し、管Ｐ１、Ｐ２、・・・を自由にしてその配管方向を変更し、その後再びアンカーボルト等を締めるだけで再び管が固定できる。この時、それぞれの管の配管方向が異なっていても、管保持材２１，２２は新しい管の配管方向に沿って変形されるので、管の固定には差し支えがない。
【図面の簡単な説明】
【０１１５】
【図１】発明１の管固定具の一例であり、（ａ）は積み重ねられた２個の管保持材の上面に、管保持材の平面形状と同じ平面形状の押さえ板が設けられた一例の斜視図、（ｂ）は（ａ）の押さえ板の長さが長くされた一例の斜視図、（ｃ）は押さえ板の側辺が下方に折り曲げられてリブ状とされたものの一例の斜視図、（ｄ）は（ｃ）の押さえ板の長さが長くされた一例の斜視図である。
【図２】管保持具１を用いた配管敷設構造の一例であり、（ａ）は発明２の管固定具がアンカーボルトで基盤に固定された一例の断面図、（ｂ）は発明３の管固定具が寸切りボルトで固定された一例の断面図である。
【図３】管保持材に管受け用凹溝が設けられている一例であり、（ａ）は凹溝断面形状が略円形である一例の斜視図、（ｂ）は凹溝断面形状が略四角形である一例の斜視図、（ｃ）は管保持材の外面から凹溝に切り込みが設けられた一例の断面図、である。（ｄ）は管保持材の外面から凹溝に切り込みが設けられた別の一例の断面図、（ｅ）は管保持材の外面から凹溝に切り込みが設けられた更に別の一例の断面図である。
【図４】管保持材の下側にも押さえ板が設けられた発明１の管保持具を用いた配管敷設構造の一例の断面図であり、（ａ）はアンカーボルトで押さえ板が押さえられて管保持材が管を保持し、アンカーボルト先端が基盤に設けられたアンカーホールに固定された一例の断面図、（ｂ）は一方の押さえ板が長くされて固定用貫通孔が設けられ、該固定用貫通孔に固定ボルトが挿通されて、基盤に設けられたアンカーホールに管固定具が固定された一例の断面図である。
【図５】発明２の管固定具の一例であり、（ａ）は２枚の押さえ板の間に２個の管保持材が積み重ねられた一例の斜視図、（ｂ）は（ａ）の上方の押さえ板の側辺が下方に折り曲げられてリブ状とされたものの一例の斜視図である。
【図６】発明２の管固定具の押さえ板の一例を示し、（ａ）は押さえ板両端部に、側方の辺に開口する長穴がそれぞれ設けられた一例の平面図、（ｂ）は押さえ板両端部に、長さ方向の端辺に開口する長穴がそれぞれ設けられた一例の平面図、（ｃ）は押さえ板の一端部側方の辺と他端部の長さ方向の端辺とにそれぞれ開口する長穴が設けられた一例の平面図、（ｄ）は（ａ）の長穴の一方の長穴の奥部に更に長さ方向に長穴が設けられた一例の平面図である。
【図７】発明２の管保持具１を用いた配管敷設構造の一例の断面図であり、（ａ）は上側押さえ板が支持用ボルトに固定された一例の断面図、（ｂ）は下側押さえ板が支持用ボルトに固定された一例の断面図である。
【符号の説明】
【０１１６】
１  管固定具
２  管保持材
２１  上側管保持材
２２  下側管保持材
２３  管受け用凹溝
２４  切り込み
３  押さえ板
３１  上側押さえ板
３２  下側押さえ板
３３  保持用ボルト
３４  保持用ナット
４１  保持用兼管保持具固定用貫通孔
４２  保持用貫通孔
４３  固定用貫通孔
５  アンカーホール
６１  ボルト
６２  寸切りボルト
７  ナット
８    床支持具
８１  床支持用ボルト
８２  基台
Ｐ１，Ｐ２、・・  管
Ｂ  基盤
Ｆ  床板
【図１】
2006266333.tif 000003
【図２】
2006266333.tif 000004
【図３】
2006266333.tif 000005
【図４】
2006266333.tif 000006
【図５】
2006266333.tif 000007
【図６】
2006266333.tif 000008
【図７】
2006266333.tif 000009